(57)【要約】【課題】複数段の媒体差込通路に挿入された複数の信号伝送媒体を安定的に保持して良好な電気的な接続性を得られことを可能とする。【解決手段】ハウジング１１に設けた複数段の媒体差込通路１１ｃ，１１ｄに挿入された複数の信号伝送媒体ＰＢ，ＰＢの各々に係合するロック部材１６，１７を、複数段の各媒体差込通路１１ｃ，１１ｄ毎に設けるとともに、複数段の媒体差込通路１１ｃ，１１ｄを挟んだ両側部分に一対のロック解除部材１８，１８を配置し、複数段の媒体差込通路１１ｃ，１１ｄに挿入された複数の信号伝送媒体ＰＢ，ＰＢを保持するロック部材１６，１７を、複数段の媒体差込通路１１ｃ，１１ｄの両側に配置した一対のロック解除部材１８，１８によって一括的に解放することによって、効率的なロック解放操作を可能としつつ誤操作を回避させる構成としたものである。【選択図】図１８
2019102205.tif 000002
【特許請求の範囲】
【請求項１】
ハウジングに設けられた中空状の媒体差込通路の内部に、板幅方向に複数の信号伝送路を有する平型状の信号伝送媒体が挿入されるものであって、
前記媒体差込通路が、前記板幅方向とは異なる前記ハウジングの高さ方向に複数段にわたって設けられた電気コネクタにおいて、
前記ハウジングに、前記複数段の媒体差込通路内に挿入された前記複数の信号伝送媒体の各々に係合するロック部材と、それらの各ロック部材の係合状態を解放するロック解除部材と、が設けられ、
前記ロック部材が、前記複数段の各媒体差込通路毎に複数設けられているとともに、
前記ロック解除部材は、前記複数段の媒体差込通路を前記板幅方向に挟んだ両側部分に一対配置されていることを特徴とする電気コネクタ。
【請求項２】
前記ロック部材が、前記信号伝送媒体における前記板幅方向の両側の端縁部分に係合する状態に配置されていることを特徴とする請求項１記載の電気コネクタ。
【請求項３】
前記一対のロック解除部材の各々は、互いに近接・離間する状態で往復移動する解除操作部と、当該解除操作部同士が互いに近接する方向に移動された際に、前記ロック部を解放する方向に変位させる解除リンク機構と、を備えていることを特徴とする請求項１記載の電気コネクタ。
【請求項４】
前記解除リンク機構は、前記解除操作部に設けられて一体的に往復移動する押圧作用部と、前記ロック部材に一体的に設けられて前記押圧作用部が当接可能に配置された押圧受け部と、を備え、
前記一対のロック解除部材の解除操作部同士が近接する方向に移動された際に、前記押圧作用部が前記押圧受け部に当接して前記ロック部材の係合状態を解放する構成になされていることを特徴とする請求項３記載の電気コネクタ。
【請求項５】
前記ロック部材が、前記板幅方向に対向する状態で、前記複数段の各媒体差込通路毎に一対づつ配置され、当該各々のロック部材に設けられた前記押圧受け部が、前記ハウジングの高さ方向に対向する状態で一対配置されているとともに、
前記ハウジングの高さ方向に対向する前記一対の押圧受け部同士の間に、前記ロック解除部材の各々に設けられた前記解除操作部が配置され、かつ
前記解除操作部に設けられた前記押圧作用部が、前記ハウジングの高さ方向に対向する前記一対の押圧受け部に対応して、前記ハウジングの高さ方向に一対配置されたものであって、
前記板幅方向に対向する前記一対の解除操作部同士が互いに近接する方向に移動された際に、前記ハウジングの高さ方向に配置された前記一対の押圧作用部の各々が、前記一対の押圧受け部の各々に当接することによって、前記ロック部材の係合状態を解放する構成になされていることを特徴とする請求項４記載の電気コネクタ。
【請求項６】
前記解除操作部が、前記ハウジングから延出して弾性的に変位する弾性アーム部材に一体的に連設されているとともに、
前記弾性アーム部材と前記解除操作部との連結部分に前記押圧作用部が設けられていることを特徴とする請求項４記載の電気コネクタ。
【請求項７】
前記ロック部材が、前記ハウジングの少なくとも一部を覆うシェル部材の一部をなすように一体的に設けられていることを特徴とする請求項１記載の電気コネクタ。
【発明の詳細な説明】
【技術分野】
【０００１】
本発明は、電気コネクタに関する。
【背景技術】
【０００２】
従来から、種々の電気機器等において、フレキシブルフラットケーブル（ＦＦＣ）やフレキシブルプリント基板（ＦＰＣ）などの平型状に形成された信号伝送媒体を、配線基板に電気的に接続する構成を有する電気コネクタが広く採用されている。この種の電気コネクタは、配線基板の主面上に実装された状態で使用され、ハウジングに設けられた挿入開口部から信号伝送媒体が内部に挿入されることによって電気的な接続が行われるようになっている。
【０００３】
一方、近年の電子機器においては、伝送信号の周波数及び芯数が急速に増大しており、それに伴って、伝送信号を多極状に並列する傾向が顕著になって来ている。そのような背景から、下記の特許文献のように、電気コネクタのハウジングに複数段の媒体差込通路を重ね合わせるように設け、それら複数段の媒体差込通路に対して、複数の信号伝送媒体を挿入する構造を備えた多段型式の電気コネクタが提案されている。
【０００４】
しかしながら、従来の多段型式電気コネクタは、いずれも、複数段の媒体差込通路の各々に挿入された各信号伝送媒体が、コンタクト部材の押圧力によってのみ保持される構造となっている。そのため、媒体差込通路内に挿入された信号伝送媒体の姿勢が不安定で、不所望な荷重を受けた場合には、最悪の場合、各信号伝送媒体が媒体差込通路より脱落してしまう可能性があり、電気的な接続性の信頼性に問題がある。
【先行技術文献】
【特許文献】
【０００５】
【特許文献１】実用新案登録第２６０３１６０号公報
【特許文献２】特開２０００−１１３９３３号公報
【発明の開示】
【発明が解決しようとする課題】
【０００６】
そこで本発明は、複数段の媒体差込通路に挿入された複数の信号伝送媒体を安定的に保持して良好な電気的な接続性が得られるようにした電気コネクタを提供することを目的とする。
【課題を解決するための手段】
【０００７】
上記目的を達成するため請求項１にかかる発明では、ハウジングに設けられた中空状の媒体差込通路の内部に、板幅方向に複数の信号伝送路を有する平型状の信号伝送媒体が挿入されるものであって、前記媒体差込通路が、前記板幅方向とは異なる前記ハウジングの高さ方向に複数段にわたって設けられた電気コネクタにおいて、前記ハウジングに、前記複数段の媒体差込通路内に挿入された前記複数の信号伝送媒体の各々に係合するロック部材と、それらの各ロック部材の係合状態を解放するロック解除部材とが設けられ、前記ロック部材が、前記複数段の各媒体差込通路毎に複数設けられているとともに、前記ロック解除部材は、前記複数段の媒体差込通路を前記板幅方向に挟んだ両側部分に一対配置された構成が採用されている。
【０００８】
このような構成を備えた請求項１にかかる発明によれば、複数段の媒体差込通路に挿入された複数の信号伝送媒体が、複数段の媒体差込通路毎に設けられたロック部材によって安定的に保持されることから、信号伝送媒体の電気的な接続性が良好に維持される。また、複数段の媒体差込通路内に挿入された複数の信号伝送媒体の係合状態が、媒体差込通路の両側に配置された一対のロック解除部材によって一括的に解放されることから、効率的なロック解放操作が可能となる。
【０００９】
このとき、請求項２にかかる発明のように、前記ロック部材が、前記信号伝送媒体における前記板幅方向の両側の端縁部分に係合する状態に配置されていることが望ましい。
【００１０】
このような構成を備えた請求項２にかかる発明によれば、信号伝送媒体の板幅方向における両側部分がロック部材により安定的に保持される。
【００１１】
また、請求項３にかかる発明のように、前記一対のロック解除部材の各々は、互いに近接・離間する状態で往復移動する解除操作部と、当該解除操作部同士が互いに近接する方向に移動された際に、前記ロック部を解放する方向に変位させる解除リンク機構とを備えていることが望ましい。
【００１２】
このような構成を備えた請求項３にかかる発明によれば、一対のロック解除部材に設けられた一対の解除操作部を、例えば作業者の指先の間に挟み込むようにして互いに近接させる方向に押圧すること等によって、ロック部の解除が容易な操作で確実に行われる。
【００１３】
さらに、請求項４にかかる発明のように、前記解除リンク機構は、前記解除操作部に設けられて一体的に往復移動する押圧作用部と、前記ロック部材に一体的に設けられて前記押圧作用部が当接可能に配置された押圧受け部とを備え、前記一対のロック解除部材の解除操作部同士が近接する方向に移動された際に、前記押圧作用部が前記押圧受け部に当接して前記ロック部材の係合状態を解放する構成になされていることが望ましい。
【００１４】
このような構成を備えた請求項４にかかる発明によれば、ロック部材の係合状態が、簡易な構成によって確実に解放状態になされる。
【００１５】
さらにまた、請求項５にかかる発明のように、前記ロック部材が、前記板幅方向に対向する状態で、前記複数段の各媒体差込通路毎に一対づつ配置され、当該各々のロック部材に設けられた前記押圧受け部が、前記ハウジングの高さ方向に対向する状態で一対配置されているとともに、前記ハウジングの高さ方向に対向する前記一対の押圧受け部同士の間に、前記ロック解除部材の各々に設けられた前記解除操作部が配置され、かつ前記解除操作部に設けられた前記押圧作用部が、前記ハウジングの高さ方向に対向する前記一対の押圧受け部に対応して、前記ハウジングの高さ方向に一対配置されたものであって、前記板幅方向に対向する前記一対の解除操作部同士が互いに近接する方向に移動された際に、前記ハウジングの高さ方向に配置された前記一対の押圧作用部の各々が、前記一対の押圧受け部の各々に当接することによって、前記ロック部材の係合状態を解放する構成になされていることが望ましい。
【００１６】
このような構成を備えた請求項５にかかる発明によれば、ロック部材の係合状態が、より簡易な構成によって確実に解放状態になされる。
【００１７】
加えて、請求項６にかかる発明のように、前記解除操作部が、前記ハウジングから延出して弾性的に変位する弾性アーム部材に一体的に連設されているとともに、前記弾性アーム部材と前記解除操作部との連結部分に前記押圧作用部が設けられていることが望ましい。
【００１８】
このような構成を備えた請求項６にかかる発明によれば、解除リンク機構の構成が簡易化され、生産性の向上が図られる。
【００１９】
また、請求項７にかかる発明のように、前記ロック部材が、前記ハウジングの少なくとも一部を覆うシェル部材の一部をなすように一体的に設けられていることが望ましい。
【００２０】
このような構成を備えた請求項８にかかる発明によれば、ロック部材の構成が簡易化され、生産性の向上が図られる。
【発明の効果】
【００２１】
以上述べたように本発明にかかる電気コネクタは、平型状の信号伝送媒体が挿入される中空状の媒体差込通路を複数段にわたって設けたハウジングに、複数段の媒体差込通路に挿入された複数の信号伝送媒体の各々に係合するロック部材を、複数段の各媒体差込通路毎に設けるとともに、ロック解除部材を、複数段の媒体差込通路を挟んだ両側部分に一対配置し、複数段の媒体差込通路に挿入された複数の信号伝送媒体をロック部材によって安定的に保持して電気的な接続性を良好に維持する一方、複数段の媒体差込通路に挿入された複数の信号伝送媒体の係合状態を、複数段の媒体差込通路の両側に配置した一対のロック解除部材によって一括的に解放することによって、効率的なロック解放操作を可能としたものであるから、複数段の媒体差込通路に挿入された複数の信号伝送媒体を安定的に保持して良好な電気的な接続性が得られる。
【図面の簡単な説明】
【００２２】
【図１】本発明の一実施形態にかかる電気コネクタに対して平型状の信号伝送媒体を挿入しようとしている状態を正面側の斜め上方から表した外観斜視説明図である。
【図２】図１の状態から平型状の信号伝送媒体を電気コネクタに挿入した後の状態を表した外観斜視説明図である。
【図３】図２に示された状態の電気コネクタを表した平面説明図である。
【図４】図２及び図３に示された電気コネクタの正面説明図である。
【図５】図２及び図３に示された電気コネクタの背面説明図である。
【図６】図４中のＶＩ−ＶＩ線に沿った断面を拡大して表した横断面説明図である。
【図７】図４中のＶＩＩ−ＶＩＩ線に沿った断面を拡大して表した横断面説明図である。
【図８】図４中のＶＩＩＩ−ＶＩＩＩ線に沿った断面を拡大して表した横断面説明図である。
【図９】図５中のＩＸ−ＩＸ線に沿った断面を拡大して表した水平断面説明図である。
【図１０】図１〜図９に示された電気コネクタに用いられているシェル部材を正面側の斜め上方から表した外観斜視説明図である。
【図１１】図１〜図９に示された電気コネクタに用いられているシェル部材を上下に離した状態で正面側の斜め上方から表した外観斜視説明図である。
【図１２】図１〜図９に示された電気コネクタに用いられているシェル部材を背面側の斜め下方から表した外観斜視説明図である。
【図１３】平型状の信号伝送媒体を挿入した状態の電気コネクタの背面部分を、長手方向の一端部分を破断して表した外観斜視説明図である。
【図１４】図１３中のＸＩＶで表した部分を拡大して表した外観斜視説明図である。
【図１５】平型状の信号伝送媒体を挿入した状態からロック解除部材を操作した後の電気コネクタの背面説明図である。
【図１６】図１５中のＸＶＩで表した部分を拡大して表した背面説明図である。
【図１７】ロック解除部材を操作した後における電気コネクタの図９相当の水平断面説明図である。
【図１８】ロック解除部材を操作した後における電気コネクタの図１４相当の外観斜視説明図である。
【発明を実施するための形態】
【００２３】
以下、各種電子機器の配線基板上に実装されるリセプタクルコネクタに本発明を適用した実施形態について、図面に基づき詳細に説明する。
【００２４】
［ハウジングについて］
図１〜図５に示されている本発明の一実施形態にかかるリセプタクルコネクタ１は、配線基板（図示省略）の主面上に配置される細長状の絶縁性部材からなるハウジング１１を有している。以下において、配線基板（図示省略）の主面は、水平に延在するものとし、その配線基板の主面に対して直交する方向に離れる方向である「上方向」を、上述したハウジング１１の「高さ方向」とする。また、ハウジング１１の細長状の延在方向を「コネクタ長手方向」とし、その「コネクタ長手方向」及び「高さ方向」の双方向に直交する方向を「コネクタ幅方向」と呼ぶこととする。
【００２５】
上述したハウジング１１の「コネクタ幅方向」における一端面には、上下複数段（２段）の挿入開口部１１ａ，１１ｂが、「コネクタ長手方向」に沿って細長スリット形状をなすように形成されており、これらの各挿入開口部１１ａ，１１ｂを通して、後述するフレキシブルフラットケーブル（ＦＦＣ）やフレキシブルプリント基板（ＦＰＣ）などの平型状の信号伝送媒体ＰＢが挿入されるようになっている。これらの挿入開口部１１ａ，１１ｂが設けられているハウジング１１の端面を、以下において「前端面」と呼び、当該ハウジング１１における「コネクタ幅方向」の反対側の端面を「後端面」と呼ぶこととする。
【００２６】
上述した信号伝送媒体（ＦＦＣやＦＰＣ等）ＰＢの端末部分は、各挿入開口部１１ａ，１１ｂの「前方」から「後方」に向かってそれぞれ挿入され、それらの各挿入開口部１１ａ，１１ｂを通して挿入された各信号伝送媒体ＰＢの端末部分は、特に図６及び図７に示されているように、ハウジング１１の内部に設けられた各媒体差込通路１１ｃ，１１ｄに収容されるようになっている。
【００２７】
なお、上述したように複数段（２段）の挿入開口部１１ａ，１１ｂは、ハウジング１１の「高さ方向」に重なり合うように配置されているが、それらの挿入開口部１１ａ，１１ｂから「後方」に向かって中空状をなして延びる媒体差込通路１１ｃ，１１ｄも、挿入開口部１１ａ，１１ｂと同様にハウジング１１の「高さ方向」に重なり合うようにして複数段（２段）にわたって配置されている。
【００２８】
［導電コンタクトについて］
前述したハウジング１１には、当該ハウジング１１の「長手方向」に沿って多数の導電コンタクト（導電端子）１２，１３が、所定のピッチ間隔をなして配列された状態で取り付けられている。これらの導電コンタクト１２，１３は、特に図６に示されているように、必要な形状に折り曲げ形成された金属部材から構成されている。そのうちの一方の導電コンタクト１２に設けられた信号接点部１２ａは、上方の媒体差込通路１１ｃの内部に配置されるように設けられているとともに、他方の導電コンタクト１３は、下方の媒体差込通路１１ｄに信号接点部１３ａが配置されるように設けられている。
【００２９】
これらの両導電コンタクト１２，１３は、互いに「コネクタ幅方向」に向かい合う状態で配置されており、一方の導電コンタクト１２が、上述したハウジング１１の「後端面」に当接した状態で上下方向に延在する固定基部１２ｂを有しているとともに、他方の導電コンタクト１３が、ハウジング１１の「前端面」に当接した状態で上下方向に延在する固定基部１３ｂを有している。そして、それらの固定基部１２ｂ及び固定基部１３ｂの上端部からは、上述した媒体差込通路１１ｃ及び媒体差込通路１１ｄの内方に向かって、可動ビーム１２ｃ及び可動ビーム１３ｃが、それぞれ「前方」及び「後方」に向かって延出しており、それらの可動ビーム１２ｃ及び可動ビーム１３ｃにおける延出方向の先端部分に、上述した信号接点部１２ａ及び信号接点部１３ａが、それぞれ下方及び上方に向かって山形状に突出する状態に設けられている。
【００３０】
これらの導電コンタクト１２及び導電コンタクト１３に設けられた信号接点部１２ａ及び信号接点部１３ａは、上述した上下２段の媒体差込通路１１ｃ及び媒体差込通路１１ｄに挿入された各々の信号伝送媒体（ＦＦＣ又はＦＰＣ等）ＰＢ，ＰＢに対して、それぞれ上方及び下方から接触する配置関係になされており、そのような接触関係によって、両導電コンタクト１２，１３が、各信号伝送媒体ＰＢに対して電気的に接続されるようになっている。
【００３１】
すなわち、各信号伝送媒体（ＦＦＣ又はＦＰＣ等）ＰＢの一方の表面には、当該信号伝送媒体ＰＢの板幅方向（コネクタ長手方向）に沿って複数の信号伝送路が配列されているとともに、他方の裏面には導電性部材からなるシールド板ＰＢ１が貼着されている。そして、上下２段の媒体差込通路１１ｃ及び媒体差込通路１１ｄの内部に挿入された両信号伝送媒体ＰＢ，ＰＢは、裏面のシールド板ＰＢ１，ＰＢ１同士が互いに対面する状態に配置されており、上方の信号伝送媒体ＰＢの信号伝送路に対して、導電コンタクト１２の信号接点部１２ａが上方から接触するとともに、下方の信号伝送媒体ＰＢの信号伝送路に対して、導電コンタクト１３の信号接点部１３ａが下方から接触するようになっている。
【００３２】
また、導電コンタクト１２及び導電コンタクト１３に設けられた固定基部１２ｂ及び固定基部１３ｂは、配線基板（図示省略）に接触する下端部分において略直角に折れ曲がって「コネクタ幅方向」の後方及び前方に向かって延出しており、それら導電コンタクト１２及び導電コンタクト１３の後方延出端及び前方延出端が、それぞれ接続端子部１２ｄ及び接続端子部１３ｄになされている。これらの接続端子部１２ｄ及び接続端子部１３ｄは、上述した配線基板に形成された信号用導電路に半田接合されるようになっている。
【００３３】
［シェル部材について］
一方、特に図１０〜図１２に示されているように、上述したハウジング１１には、当該ハウジング１１の外表面を覆うシェル部材を構成する上シェル１４及び下シェル１５が、当該ハウジング１１の上方及び下方からそれぞれ装着されている。これらの上シェル１４及び下シェル１５は、薄厚状の金属部材を折り曲げて構成されており、上述したように上下２段の媒体差込通路１１ｃ及び媒体差込通路１１ｄに挿入された両信号伝送媒体（ＦＦＣ又はＦＰＣ等）ＰＢ，ＰＢ及び両導電コンタクト１２，１３が、上シェル１４及び下シェル１５の間に配置されることによって、伝送信号のシールドが行われる構成になされている。
【００３４】
そのうちの上シェル１４には、特に図１１に示されているように、複数のハウジング固定片１４ａ，１４ａ，・・・が爪状に突出するように設けられており、それら複数のハウジング固定片１４ａの各々が、ハウジング１１の一部に圧入状態で差し込まれることによって、上シェル１４全体の固定が行われている。
【００３５】
また、上述した下シェル１５の後端縁部分には、「コネクタ長手方向」に延在する棒状のグランド連結バー１５ａが、前記ハウジング１１の「高さ方向」における略中間の位置に配置されており、そのグランド連結バー１５ａの延在方向（コネクタ長手方向）の途中位置に、複数のグランドコンタクト１５ｂが一体的に設けられている。これらの各グランドコンタクト１５ｂは、ハウジング１１の「高さ方向」において、上述した上下２段の媒体差込通路１１ｃ及び媒体差込通路１１ｄの間部分に配置されており、特に図７に示されているように、上段の媒体差込通路１１ｃの内方に延出するグランド接点部１５ｃと、下段の媒体差込通路１１ｄの内方に延出するグランド接点部１５ｄとを一体的に有している。
【００３６】
そして、上段の媒体差込通路１１ｃに挿入された上方の信号伝送媒体ＰＢのシールド板ＰＢ１に対して、上方のグランド接点部１５ｃが下方から接触するとともに、下段の媒体差込通路１１ｄに挿入された下方の信号伝送媒体ＰＢのシールド板ＰＢ１に対しては、下方のグランド接点部１５ｅが上方から接触するようになっている。
【００３７】
さらに、上述した上シェル１４及び下シェル１５の外周を形成している端縁部には、複数のグランド接続部１４ｂ及び１５ｅが、略水平に延出するようにして一体的に形成されており、それらの各グランド接続部１４ｂ及び１５ｅが、配線基板（図示省略）に形成されたグランド用導電路に対して、一括的に半田接合されるようになっている。
【００３８】
［ロック部材について］
一方、上述した上シェル１４及び下シェル１５における「コネクタ長手方向」の両端部分には、当該上シェル１４及び下シェル１５から下方及び上方に向かって一体的に延出するロック部材としての上ロック部材１６及び下ロック部材１７が各々一対ずつ設けられている。それらの各上ロック部材１６及び下ロック部材１７は、上下方向に弾性的に揺動する上可動板１６ａ及び下可動板１７ａを有している。
【００３９】
このように本実施形態では、上ロック部材１６及び下ロック部材１７が、ハウジング１１の少なくとも一部を覆う上シェル１４及び下シェル１５の一部をなすように一体的に設けられていることから、上ロック部材１６及び下ロック部材１７の構成が簡易化され、生産性の向上が図られるようになっている。
【００４０】
上述した上可動板１６ａは、上シェル１４の主体部分を構成している天井板の後端縁から下方に向かって側面略Ｕ字状をなすように折り曲げられており、その折り曲げ部分から前方に向かって略水平に片持ち状に延出している。そして、その上可動板１６ａにおける延出方向の先端部分には、前述した上段の媒体差込通路１１ｃに挿入された上方の信号伝送媒体ＰＢに係合する上係止爪１６ｂが設けられている。
【００４１】
また、下可動板１７ａは、下シェル１５の主体部分を構成している底板の後端縁から上方に向かって側面略Ｕ字状をなすように折り曲げられており、その折り曲げ部分から前方に向かって略水平に片持ち状に延出している。そして、その下可動板１７ａにおける延出方向の先端部分には、前述した下段の媒体差込通路１１ｄに挿入された下方の信号伝送媒体ＰＢに係合する下係止爪１７ｂが設けられている。
【００４２】
このときの上係止爪１６ｂ及び下係止爪１７ｂは、上述した上可動板１６ａ及び下可動板１７ａにおける「コネクタ長手方向」の内方（コネクタ中心）寄りの端縁部に設けられており、それらの上係止爪１６ｂ及び下係止爪１７ｂが、信号伝送媒体（ＦＦＣ又はＦＰＣ等）ＰＢの端末部分に形成された位置決め部ＰＢ２に係合する構成になされていることによって、当該信号伝送媒体ＰＢが、リセプタクルコネクタ１から脱落することなく保持されるようになっている。
【００４３】
すなわち、特に図１に示されているように、信号伝送媒体（ＦＦＣ又はＦＰＣ等）ＰＢの端末部分には、当該信号伝送媒体ＰＢの板幅方向（長手方向）の両側端縁部分に、切り欠き状の凹部からなる位置決め部ＰＢ２がそれぞれ形成されていて、前述した上下の媒体差込通路１１ｃ，１１ｄの内部に信号伝送媒体ＰＢがそれぞれ差し込まれた際に、上述した上係止爪１６ｂ及び下係止爪１７ｂが、信号伝送媒体ＰＢに設けられた位置決め部ＰＢ２に対して弾性的に係合する構成になされている。
【００４４】
特に図１１及び図１２に示されているように、これらの上ロック部材１６及び下ロック部材１７にそれぞれ設けられた上係止爪１６ｂ及び下係止爪１７ｂは、前述した信号伝送媒体（ＦＦＣ又はＦＰＣ等）ＰＢの位置決め部ＰＢ２の内方に入り込む板状部材から形成されたものであるが、上可動板１６ａ及び下可動板１７ａの揺動部分（前端部分）から、媒体差込通路１１ｃ，１１ｄの内部空間に向かって突出するように折曲げ形成されている。これらの上係止爪１６ｂ及び下係止爪１７ｂの突出方向における先端部分は、いわゆるフック形状をなすように形成されており、長い突出長の後端縁から短い突出長の前端縁までの間を傾斜案内辺が、信号伝送媒体ＰＢの挿入方向（水平方向）に対して傾斜する方向に延在する形状になされている。
【００４５】
そして、ハウジング１１に設けられた媒体差込通路１１ｃ，１１ｄに対して、信号伝送媒体（ＦＦＣ又はＦＰＣ等）ＰＢの端末部分が前方から挿入されてくると、まず信号伝送媒体ＰＢの挿入側の先端縁が、前述した上係止爪１６ｂ及び下係止爪１７ｂの傾斜案内辺に当接し、挿入前の初期状態において略水平に延在していた上可動板１６ａ及び下可動板１７ａが、折返し部分を揺動支点として上方及び下方にそれぞれ押し込まれるように弾性変位される。これによって、上係止爪１６ｂ及び下係止爪１７ｂが、信号伝送媒体ＰＢの表面に乗り上げた状態となる。
【００４６】
このように、上可動板１６ａ及び下可動板１７ａが弾性変位して、上係止爪１６ｂ及び下係止爪１７ｂが信号伝送媒体（ＦＦＣ又はＦＰＣ等）ＰＢの表面に乗り上げた状態から、信号伝送媒体ＰＢの端末部分がさらに後方に押し込まれていくと、特に図８に示されているように、上述した上係止爪１６ｂ及び下係止爪１７ｂのフック形状部分が、上可動板１６ａ及び下可動板１７ａの弾性復元力によって信号伝送媒体ＰＢの位置決め部（切り欠き状の凹部）ＰＢ２の内部に向かって突出するように揺動される。これによって、上係止爪１６ｂ及び下係止爪１７ｂが信号伝送媒体ＰＢの位置決め部ＰＢ２に対して係合状態となり、信号伝送媒体ＰＢの挿入状態が保持される。従って、挿入完了後の信号伝送媒体ＰＢに対して、後方（挿入前の方向）への引き抜き力が付加された場合にあっては、当該信号伝送媒体ＰＢに設けられた位置決め部ＰＢ２が、上係止爪１６ｂ及び下係止爪１７ｂの後端縁に圧接し、それによって信号伝送媒体ＰＢの引き抜き又は脱落が防止される。
【００４７】
［解除リンク機構について］
一方、上述したような信号伝送媒体（ＦＦＣ又はＦＰＣ等）ＰＢに対する上係止爪１６ｂ及び下係止爪１７ｂの係合状態から、後述するようなロック解除部材１８を操作することによってロック解除操作が行われると、当該ロック解除部材１８に設けられた解除リンク機構を介して、上述した上可動板１６ａ及び下可動板１７ａが、自身の弾性力に抗してそれぞれ上方及び下方に向かって押し付けられるように揺動し（図１６〜図１８参照）、それによって、上係止爪１６ｂ及び下係止爪１７ｂのフック状部分が、信号伝送媒体ＰＢの位置決め部ＰＢ２から上方及び下方に向かって離脱されるようになっている。このような解除リンク機構を備えたロック解除部材１８の構成について次に説明する。
【００４８】
すなわち、前述したようにロック部材を構成している上ロック部材１６及び下ロック部材１７は、複数段（２段）の各媒体差込通路１１ｃ及び１１ｄ毎に、複数（一対）のものがそれぞれ設けられた構成を有しているが、このようなロック部材１６，１７の構成に対して、上述した解除リンク機構を備えたロック解除部材１８は、複数段（２段）の媒体差込通路１１ｃ及び１１ｄを、信号伝送媒体（ＦＦＣ又はＦＰＣ等）ＰＢの「板幅方向」（コネクタ長手方向）に挟んだ両側部分に一対配置されている。そして、これら一対のロック解除部材１８に対する解除操作によって、媒体差込通路１１ｃ及び１１ｄ毎に設けられた上ロック部材１６及び下ロック部材１７の上係止爪１６ｂ及び下係止爪１７ｂが、一括的に操作されるようになっている。
【００４９】
より具体的には、まずロック解除部材１８は、前述したハウジング１１における「コネクタ長手方向」の両端部分に、一対の操作レバー状をなす解除操作部１８ａ，１８ａをハウジング１１と一体的に備えている。それら一対の解除操作部１８ａ，１８ａの各々は、信号伝送媒体（ＦＦＣ又はＦＰＣ等）ＰＢを「板幅方向」（コネクタ長手方向）に挟んだ位置、つまり挿入開口部１１ａの両側外方部分に互いに対向するように配置されている。そして、特に図５及び図１５中の各矢印で表されているように、当該一対の解除操作部１８ａ，１８ａ同士が互いに近接する方向であるコネクタ中心に向かう方向に解除操作力が付加される構成になされている。
【００５０】
このときの両解除操作部１８ａ，１８ａは、特に図９及び図１４に示されているように、ハウジング１１の「長手方向」の両端部分に弾性アーム部材１８ｂ，１８ｂを介して、ハウジング１１と一体的に形成されている。それらの各弾性アーム部材１８ｂは、ハウジング１１の前端部から「コネクタ長手方向」の外方に向かって張り出す板状部材から形成されており、平面略Ｕ字状をなして折り返された後に後方に向かって片持ち状に延出している。そして、当該弾性アーム部材１８ｂの各々が片持ち状をなして延出している後方の先端部分には、上述した操作レバー状の解除操作部１８ａが、「コネクタ長手方向」の外方に向かって延出するように連設されている。
【００５１】
上述した各弾性アーム部材１８ｂは、前端の平面略Ｕ字状をなす折り返し部分を中心として弾性的に揺動する構成になされており、「コネクタ長手方向」における両側一対の弾性アーム部材１８ｂ，１８ｂが、略水平の面内において「コネクタ長手方向」に弾性変位することで、両側一対の解除操作部１８ａ，１８ａ同士が、互いに近接・離間するように移動する構成になされている。
【００５２】
実際のロック解除操作が行われるにあたっては、上述した両解除操作部１８ａ，１８ａ同士が、例えば作業者の指先の間に挟み込まれることによって、特に図５及び図１５中の各矢印で表されているように、互いに近接する方向に移動されることとなるが、その互いに近接された状態から作業者の手が開放されると、各弾性アーム部材１８ｂが有する弾性復帰力によって両解除操作部１８ａ，１８ａは、「コネクタ長手方向」の外方に向かって元の位置まで変位し、再び離間した状態となる。
【００５３】
また、これら一対の解除操作部１８ａ，１８ａには、前述したように解除リンク機構がそれぞれ付設されていて、当該解除操作部１８ａ，１８ａ同士を互いに近接させるようにしてロック解除操作が行われた際にあっては、解除リンク機構を介して信号伝送媒体（ＦＦＣ又はＦＰＣ等）ＰＢから上係止爪１６ｂ及び下係止爪１７ｂが解除される方向に移動されるようになっている。以下においては、「コネクタ長手方向」の片側に配置された一方の解除リンク機構の構造のみを説明するが、他方の解除リンク機構についても同様な構成を有するものである。
【００５４】
すなわち、上述した解除操作部１８ａに付設された解除リンク機構は、前述した上係止爪１６ｂ及び下係止爪１７ｂを弾性変位可能に支持する上ロック部材１６及び下ロック部材１７を含むものであって、特に図１４に示されているように、当該上ロック部材１６及び下ロック部材１７の上可動板１６ａ及び下可動板１７ａに設けられた押圧受け部１６ｃ，１７ｃと、それらの押圧受け部１６ｃ，１７ｃに当接可能となるように前記弾性アーム部材１８ｂに設けられた一対の押圧作用部１８ｃ，１８ｄと、を有している。
【００５５】
そのうち、上可動板１６ａ及び下可動板１７ａに設けられた押圧受け部１６ｃ，１７ｃは、前述した上係止爪１６ｂ及び下係止爪１７ｂに対して「コネクタ長手方向」の反対側の端縁部、すなわち上可動板１６ａ及び下可動板１７ａにおける「コネクタ長手方向」の外方の端縁部（以下において、単に「外端縁部」という。）に設けられている。そして、上可動板１６ａに設けられた押圧受け部１６ｃは、当該上可動板１６ａの外端縁部から、「コネクタ長手方向」の外方に向かって斜め上方に一体的に延出する板状部材から形成されている。また、下可動板１７ａに設けられた押圧受け部１７ｃは、当該下可動板１７ａ外端縁部から、「コネクタ長手方向」の外方に向かって斜め下方に一体的に延出する板状部材から形成されている。このように、上可動板１６ａ及び下可動板１７ａに設けられた押圧受け部１６ｃ，１７ｃは、上述した各解除操作部１８ａの移動方向である水平方向（コネクタ長手方向）に対して傾斜する方向に延在している。
【００５６】
このような上可動板１６ａ及び下可動板１７ａに設けられた両押圧受け部１６ｃ，１７ｃに対応して、上述した弾性アーム部材１８ｂの上端面及び下端面には、上方及び下方に向かって突出する上押圧作用部１８ｃ及び下押圧作用部１８ｄが、それぞれ突起状をなすように形成されている。これらの両上押圧作用部１８ｃ及び下押圧作用部１８ｄは、上述した上可動板１６ａ及び下可動板１７ａに設けられた両押圧受け部１６ｃ，１７ｃの各々に対して「コネクタ長手方向」の外方から対面することで当接可能に配置されている。
【００５７】
すなわち、前述した解除操作部１８ａが操作されていない初期状態においては、上可動板１６ａ及び下可動板１７ａに設けられた両押圧受け部１６ｃ，１７ｃに対して、上述した上押圧作用部１８ｃ及び下押圧作用部１８ｄは、「コネクタ長手方向」に離間した状態に位置しているが、解除操作部１８ａが「コネクタ長手方向」の内方側（コネクタ中心側）に向かって操作された際にあっては、当該上押圧作用部１８ｃ及び下押圧作用部１８ｄが、両押圧受け部１６ｃ，１７ｃの各々に対して「コネクタ長手方向」の外方から当接する配置関係になされている。
【００５８】
従って、前述したように「コネクタ長手方向」の両端部分に設けられた一対の解除操作部１８ａ，１８ａが互いに近接させられるようにしてロック解除操作が行われた際にあっては、まず弾性アーム部材１８ｂ，１８ｂが、「コネクタ長手方向」における内方側（コネクタ中心側）に弾性変位し、それらの各弾性アーム部材１８ｂの弾性変位に伴って、上述した上押圧作用部１８ｃ及び下押圧作用部１８ｄが、上可動板１６ａ及び下可動板１７ａに設けられた両押圧受け部１６ｃ，１７ｃに対して「コネクタ長手方向」の外方から当接した状態となる（特に図１６〜図１８参照）。そして、さらに両解除操作部１８ａ，１８ａが互いに近接方向に移動操作されることによって、上押圧作用部１８ｃ及び下押圧作用部１８ｄが、上可動板１６ａ及び下可動板１７ａの両押圧受け部１６ｃ，１７ｃの傾斜面を「コネクタ長手方向」の内方側（コネクタ中心側）に押圧することとなる。その結果、特に図１８に表されているように、当該両押圧受け部１６ｃ，１７ｃとともに上可動板１６ａ及び下可動板１７ａが、それぞれ上方及び下方に揺動するように弾性変位し、上係止爪１６ｂ及び下係止爪１７ｂのフック状部分が、信号伝送媒体（ＦＦＣ又はＦＰＣ等）ＰＢの位置決め部ＰＢ２から、それぞれ上方及び下方に離脱する。それによって、上ロック部材１６及び下ロック部材１７の上係止爪１６ｂ及び下係止爪１７ｂは、信号伝送媒体（ＦＦＣ又はＦＰＣ等）ＰＢに対して解除状態となる。
【００５９】
このような構成を備えた本実施形態によれば、複数段（２段）の媒体差込通路１１ｃ及び１１ｄに挿入された複数（２体）の信号伝送媒体（ＦＦＣ又はＦＰＣ等）ＰＢが、複数段（２段）の媒体差込通路１１ｃ及び１１ｄ毎に設けられた複数の上ロック部材１６及び下ロック部材１７の上係止爪１６ｂ及び下係止爪１７ｂによって安定的に保持されることから、電気的な接続性が良好に維持される。
【００６０】
以上の説明は、一方の解除リンク機構を備えたロック解除部材について述べたものであるが、他方についても同様である。
【００６１】
また、複数段（２段）の媒体差込通路１１ｃ及び１１ｄに挿入された複数（２体）の信号伝送媒体（ＦＦＣ又はＦＰＣ等）ＰＢの係合状態が、複数段（２段）の媒体差込通路１１ｃ及び１１ｄの両側に配置された一対の解除操作部１８ａ，１８ａのロック解除操作によって一括的に解放されることから、効率的なロック解放操作が可能となる。
【００６２】
特に本実施形態においては、上ロック部材１６及び下ロック部材１７が、信号伝送媒体（ＦＦＣ又はＦＰＣ等）ＰＢにおける板幅方向の両側の端縁部分に係合する状態に配置されていることから、信号伝送媒体ＰＢの板幅方向における両側部分が上ロック部材１６及び下ロック部材１７により安定的に保持される。
【００６３】
また、一対のロック解除部材１８，１８は、互いに近接・離間する状態で往復移動する解除操作部１８ａ，１８ａを備えているとともに、当該解除操作部１８ａ，１８ａ同士が互いに近接する方向に移動された際に、上ロック部材１６，１６及び下ロック部材１７，１７を解放する方向に変位させる解除リンク機構を備えていることから、一対の解除操作部１８ａ，１８ａを、例えば作業者の指先の間に挟み込むようにして互いに近接させる方向に押圧すること等によって、上係止爪１６ｂ，１６ｂ及び下係止爪１７ｂ，１７ｂの解除が、簡易な構成に対する容易な操作により確実に行われる。
【００６４】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００６５】
例えば、上述した各実施形態は、水平挿入型の電気コネクタに本発明を適用したものであるが、本発明はそれに限定されるものではなく、垂直挿入型の電気コネクタに対しても同様に適用することが可能である。
【００６６】
さらに、本発明にかかる電気コネクタは、上述した実施形態のようなフレキシブルフラットケーブル（ＦＦＣ）やフレキシブルプリント基板（ＦＰＣ）の接続を行うものに限定されることはなく、基板と基板、或いはケーブルと基板を電気的に接続する多種多様な電気コネクタに対しても本発明は同様に適用することができる。
【産業上の利用可能性】
【００６７】
以上のように本発明は、電気機器に使用される多種多様な電気コネクタに対して広く適用することが可能である。
【符号の説明】
【００６８】
１  リセプタクルコネクタ
１１  ハウジング
１１ａ，１１ｂ  挿入開口部
１１ｃ，１１ｄ  媒体差込通路
１２  導電コンタクト（導電端子）
１２ａ  信号接点部
１２ｂ  固定基部
１２ｃ  可動ビーム
１２ｄ  接続端子部
１３  導電コンタクト（導電端子）
１３ａ  信号接点部
１３ｂ  固定基部
１３ｃ  可動ビーム
１３ｄ  接続端子部
１４  上シェル（シェル部材）
１４ａ  ハウジング固定片
１４ｂ  グランド接続部
１５  下シェル（シェル部材）
１５ａ  グランド連結バー
１５ｂ  グランドコンタクト
１５ｃ  グランド接点部
１５ｄ  グランド接点部
１５ｅ  グランド接続部
１６  上ロック部材（ロック部材）
１６ａ  上可動板
１６ｂ  上係止爪
１６ｃ  押圧受け部
１７  下ロック部材（ロック部材）
１７ａ  下可動板
１７ｂ  下係止爪
１７ｃ  押圧受け部
１８  ロック解除部材
１８ａ  解除操作部
１８ｂ  弾性アーム部材
１８ｃ  上押圧作用部（押圧作用部）
１８ｄ  下押圧作用部（押圧作用部）
ＰＢ  信号伝送媒体（ＦＦＣ又はＦＰＣ等）
ＰＢ１  シールド板
ＰＢ２  位置決め部（切り欠き状の凹部）
【図１】
2019102205.tif 000003
【図２】
2019102205.tif 000004
【図３】
2019102205.tif 000005
【図４】
2019102205.tif 000006
【図５】
2019102205.tif 000007
【図６】
2019102205.tif 000008
【図７】
2019102205.tif 000009
【図８】
2019102205.tif 000010
【図９】
2019102205.tif 000011
【図１０】
2019102205.tif 000012
【図１１】
2019102205.tif 000013
【図１２】
2019102205.tif 000014
【図１３】
2019102205.tif 000015
【図１４】
2019102205.tif 000016
【図１５】
2019102205.tif 000017
【図１６】
2019102205.tif 000018
【図１７】
2019102205.tif 000019
【図１８】
2019102205.tif 000020